(57)【特許請求の範囲】
【請求項１】
光を通すための開口部と、
前記開口部を開閉するための遮光部材と、
前記開口部の側方に配置されるとともに、前記遮光部材を横方向にスライド移動させるための駆動力を発生する第一のアクチュエーターと、
前記開口部を通る光の量を制限するための光量制限部材と、
前記光量制限部材を駆動するための第二のアクチュエーターと、
を備え、
前記第一のアクチュエーターと第二のアクチュエーターとは、一体化されて同一ケース内に互いに隣接して配置され、前記第一，第二の各アクチュエーターは、
回転可能に支持されたシャフトと、
このシャフトの中央部位に固定されたマグネットから成るローターと、
前記シャフトに沿って当該シャフトの基端部後方まで延長され、且つ前記シャフトの軸線上において互いに連結されている連結部を有し、前記ローターの周囲を囲むように１８０°異なる位置に対向配置された一対のステーターコアと、
前記ステーターコアの連結部の外周に巻装されていて、前記ローターを回転させるべく、前記一対のステーターコアを通電に応じて磁化するコイルと、
を有していることを特徴とする光量調整ユニット。
【発明の詳細な説明】
【０００１】
【発明の属する技術分野】
本発明は、カメラ等の撮影装置に用いられる光量調整ユニットに関する。
【０００２】
【従来の技術】
特開２０００−３１０８０３は光量調整装置の一例を開示している。この光量調整装置は、遮光部材と、この遮光部材を駆動する第一のアクチュエーターと、光量制限部材と、この光量制限部材を駆動する第二のアクチュエーターとを有している。上記遮光部材は、光学的開口を規定する二枚のハネで構成されており、光量制限部材は、光路上に適宜挿入される一枚のハネで構成されている。
【０００３】
上記光量調整装置は、遮光部材により光学的開口を変化させることによって、光量の連続的な調整やシャッター動作を行なう。レンズ開口径の絞りはある一定の大きさより小さくすると、光の回折現象によって光学性能（解像力）の劣化を生じる。このため開口径の最小値が制限されている。したがって絞り枠の切替えだけでは十分な光量調節ができない。光量制限部材はＮＤフィルター等の減光フィルターであり、これを適宜光路上に配置することにより光量調節を行なう。
【０００４】
特開２００１−１４２１１０は電磁アクチュエーターの一例を開示している。この電磁アクチュエーターは、中間位置を挟んで一端位置と他端位置との間を双方向に回動可能な二極着磁されたローターと、この二極着磁されたローターが一端位置または他端位置にある時、磁気的な吸引力が生じる位置に配された馬蹄形のヨークと、この馬蹄形のヨークに巻回され通電に応じて当該ヨークの磁化を行ないローターを回動させるコイルと、このコイルに通電がなされていない無通電状態で、ローターを中間位置、一端位置、他端位置にそれぞれ保持するための自己保持手段とを備えている。
【０００５】
上記自己保持手段は、ローターを機械的な弾性力で中間位置に規制する弾性部材と、ヨークとの間で生じた磁気的な吸引力を利用してローターを一端位置に規制する一方の規制部材と、ヨークとの間で生じた磁気的な吸引力を利用してローターを他端位置に規制する他方の規制部材とを有している。
【０００６】
【発明が解決しようとする課題】
前述の光量調整装置では、第一のアクチュエーターと第二のアクチュエーターとが光軸を中心に１８０°異なる位置に配置されている。しかも上記第一のアクチュエーター及び第二のアクチュエーターは、遮光部材と光量制限部材とが異なる動きをすることから、それぞれ異なった構成を有している。これらの要件は、光量調整装置の小型化を阻害している。
【０００７】
また前述の電磁アクチュエーターでは、馬蹄形のヨークがローターの軸上に直交して延びている。このため比較的多くの空間を必要とする。したがって、このような電磁アクチュエーターを光量調整装置に適用した場合、光量調整装置の小型化が困難である。
【０００８】
本発明は、このような事情に基づいてなされたものであり、その目的は容易に小型化することが可能な光量調整ユニット、光学ユニット、及び電子カメラを提供することにある。
【０００９】
【課題を解決するための手段】
前記課題を解決し目的を達成するために、本発明の光量調整ユニット、光学ユニット、及び電子カメラは下記のような特徴ある構成を有している。なお下記以外の特徴ある構成については実施形態の中で明らかにする。
【００１０】
（１）本発明の光量調整ユニットは、光を通すための開口部と、前記開口部を開閉するための遮光部材と、前記開口部の側方に配置されるとともに、前記遮光部材を横方向にスライド移動させるための駆動力を発生する第一のアクチュエーターと、前記開口部を通る光の量を制限するための光量制限部材と、前記光量制限部材を駆動するための第二のアクチュエーターと、を備え、前記第一のアクチュエーターと第二のアクチュエーターとは、一体化されて同一ケース内に互いに隣接して配置され、前記第一，第二の各アクチュエーターは、回転可能に支持されたシャフトと、このシャフトの中央部位に固定されたマグネットから成るローターと、前記シャフトに沿って当該シャフトの基端部後方まで延長され、且つ前記シャフトの軸線上において互いに連結されている連結部を有し、前記ローターの周囲を囲むように１８０°異なる位置に対向配置された一対のステーターコアと、前記ステーターコアの連結部の外周に巻装されていて、前記ローターを回転させるべく、前記一対のステーターコアを通電に応じて磁化するコイルと、を有していることを特徴とする。
【００１３】
【発明の実施の形態】
（第一実施形態）
図１は本発明の第一実施形態に係るコンパクト型電子カメラの概略的構成を示す図で、（ａ）は略式上面断面図、（ｂ）は正面図、（ｃ）は略式側面断面図である。
【００１４】
図１において、１０はカメラ本体であり、その正面には被写体からの光を取り入れる入射開口部１１，ストロボ発光窓１２などが設けられている。またカメラ本体１０の上面にはレリーズボタン１３が設けられている。更に、図示はしてないがカメラ本体１０の背面には画像表示窓等が配設されている。カメラ本体１０の内部には、光学ユニット１４，ストロボユニット１５，電子回路基板１６，画像表示器（ＬＣＤ等）１７，電池室１８などが配設されている。
【００１５】
光学ユニット１４は、入射開口部１１から入射した被写体からの光をプリズム２１で入射光軸ＯＡとは直角な方向へ反射し、レンズ群２２を通して得た光像を撮像素子２３の受光面上に照射することにより、被写体像を光電変換するものとなっている。本実施形態における光学ユニット１４は、図示の如くカメラ正面から見て縦長な状態に配置されている。
【００１６】
（第二実施形態）
図２は本発明の第二実施形態に係るコンパクト型電子カメラの概略的構成を示す図で、（ａ）は略式上面断面図、（ｂ）は正面図、（ｃ）は略式側面断面図である。この第二実施形態が前記第一実施形態と異なる主な点は、光学ユニット１４が図示の如くカメラ正面から見て横長な態様でカメラ本体内に収容配置されている点である。なおこれに伴い、カメラ本体１０に収容されている他の部品の形状及び配置関係も若干異なっている。しかし機能上は全く同等であるため、同一機能を有する部分には同一符号が付されている。
【００１７】
図３は、図１に示す第一実施形態に係る電子カメラ、及び図２に示す第二実施形態に係る電子カメラに、それぞれ適用された光学ユニット１４の具体的な構成を示す図で、（ａ）は正面図、（ｂ）は蓋の部分を取外した状態を示す正面図である。
【００１８】
図４の（ａ）は図３の（ａ）のａ−ａ線矢視断面図であり、図４の（ｂ）は図３の（ａ）のｂ−ｂ線矢視断面図である。
【００１９】
図３及び図４に示すように、光学ユニット１４は光量調整ユニットＳＵとレンズユニットＬＵとが一体化されたものとなっている。
【００２０】
光量調整ユニットＳＵは、前述したプリズム２１を有するプリズム光学系と、このプリズム光学系の光出射面に対向して配置された遮光機構としてのシャッター機構１２０及び減光機能等を有する光量制限機構１４０を備えた光量調整機構１００を含んでいる。遮光機構としてのシャッター機構１２０は、光路内に設けた遮光用ベース上の開口部を適宜開放状態となす。また光量制限機構１４０は上記開口部を通る光の量を減光フィルター等により制限する。
【００２１】
光量調整機構１００は、上記シャッター機構１２０や光量制限機構１４０などを駆動制御するための光量調整用アクチュエーターユニット１６０を備えている。光量調整用アクチュエーターユニット１６０は第一のアクチュエーター１７０及び第二のアクチュエーター１８０を有している。
【００２２】
第一のアクチュエーター１７０は、シャッター機構１２０を駆動するためのアクチュエーターであり、回転可能に支持された駆動用シャフト１７２を有している。また第二のアクチュエーター１８０は、光量制限機構１４０を駆動するためのアクチュエーターであり、回転可能に支持された駆動用シャフト１８２を有している。
【００２３】
各駆動用シャフト１７２，１８２は平行で且つ同一方向を向くように隣接して配置され、且つ一体化されて一つのケース１６１内に収容されている。この光量調整ユニットＳＵのさらに詳細な構成については後述する。
【００２４】
レンズユニットＬＵは、一対のガイド軸２４，２５に沿って折り曲げ後の光軸（第二の光軸）ＯＢの方向へ移動可能に設けられたレンズ群２２と、これらのレンズ群２２が上記光軸方向の所定位置へ移動するよう当該レンズ群２２を駆動するためのレンズ駆動用アクチュエーターユニット４０とからなっている。レンズ駆動用アクチュエーターユニット４０は、バリエータレンズ駆動用アクチュエーターである第一のステッピングモーター５０と、フォーカシングレンズ駆動用アクチュエーターである第二のステッピングモーター６０とを有している。
【００２５】
第一のステッピングモーター５０は、前記レンズ群２２のうちバリエータレンズ群２２Ｖを駆動するためのものであり、第二のステッピングモーター６０は前記レンズ群２２のうちフォーカシングレンズ群２２Ｆを駆動するためのものである。
【００２６】
前記レンズ駆動用アクチュエーターとしての第一，第二のステッピングモーター５０、６０は、各々回転可能に支持された各一本のシャフト５１，６１と、これら各一本のシャフト５１，６１の片側に設けられた永久磁石から成るローター５２，６２と、このローター５２，６２の周囲に配された励磁コイルを含むステーター５３，６３とを備えている。
【００２７】
レンズ駆動用アクチュエーターユニット４０は、第一のステッピングモーター５０のシャフト５１と、第二のステッピングモーター６０のシャフト６１とが平行に並んでいる。そしてローターおよびステーターからなる駆動部が、互いに反対側に位置するように配置されている。
【００２８】
次に、本発明の光量調整ユニットＳＵの更に詳細な構成について、図５以下を参照して説明する。
【００２９】
図５は光量調整ユニットＳＵにおける光量調整機構１００の構成を示す分解斜視図である。この光量調整機構１００は、ベース１１０と、シャッター機構１２０と、光量制限機構１４０と、シャッター機構１２０および光量制限機構１４０を駆動するための光量調整用アクチュエーターユニット１６０と、カバー１９０とを有している。
【００３０】
ベース１１０は、光を通すためのほぼ矩形の開口部１１２と、開口部１１２の一辺に沿って延びるガイド溝１１４とを有している。カバー１９０は、ベース１１０と同様に、光を通すためのほぼ矩形の開口部１９２と、開口部１９２の一辺に沿って延びるガイド溝１９４とを有している。ベース１１０とカバー１９０は、それぞれの開口部１１２と開口部１９２とが同一軸に沿って配されるように位置決めされ、互いに固定されている。
【００３１】
光量調整用アクチュエーターユニット１６０は、シャッター機構１２０を駆動するための第一のアクチュエーター１７０と、光量制限機構１４０を駆動するための第二のアクチュエーター１８０とを有している。光量調整用アクチュエーターユニット１６０は、開口部１１２の側方に位置し、ベース１１０に固定されている。
【００３２】
第一のアクチュエーター１７０は所定の角度範囲内で回転する駆動用シャフト１７２を有している。このような第一のアクチュエーター１７０は例えばロータリーソレノイドで構成され得る。同様に、第二のアクチュエーター１８０は所定の角度範囲内で回転する駆動用シャフト１８２を有している。このような第二のアクチュエーター１８０は例えばロータリーソレノイドで構成され得る。
【００３３】
第一のアクチュエーター１７０と第二のアクチュエーター１８０は互いに隣接して配置されている。例えば、第一のアクチュエーター１７０と第二のアクチュエーター１８０は上下に重ねられ、開口部１１２の側方に配置されている。
【００３４】
シャッター機構１２０は、光を遮るための遮光部材１２２と、この遮光部材１２２に連結されたほぼ直線形状のレバー１２４とを有している。レバー１２４の一方の端部は、軸１２６を介して遮光部材１２２と連結されており、レバー１２４の反対側の端部は、第一のアクチュエーター１７０の駆動用シャフト１７２に固定されている。
【００３５】
シャッター機構１２０は、更に遮光部材１２２に固定されたガイドピン１２８を有している。ガイドピン１２８は、カバー１９０のガイド溝１９４に挿入される。ガイドピン１２８とガイド溝１９４の係合は、遮光部材１２２の移動方向を規制する（すなわち遮光部材１２２を案内する）。
【００３６】
第一のアクチュエーター１７０のシャフト１７２の所定角度範囲内の回転はレバー１２４を旋回させる。レバー１２４の旋回は、レバー１２４と遮光部材１２２の連結と、ガイドピン１２８とガイド溝１９４の係合とによって、遮光部材１２２の直線移動に変換される。結局、遮光部材１２２は、第一のアクチュエーター１７０のシャフト１７２の回転すなわちレバー１２４の旋回に応じて、ガイド溝１９４に沿って移動する。
【００３７】
光量制限機構１４０は、光を減光するための光量制限部材１４２と、この光量制限部材１４２に連結されたほぼコの字形状あるいはＵ字形状のレバー１４４を有している。光量制限部材１４２は例えば減光フィルターであり、適当な透過率を有する光学的に透明な部材で構成されている。レバー１４４の一方の端部は、軸１４６を介して光量制限部材１４２と連結されており、レバー１４４の反対側の端部は、第二のアクチュエーター１８０のシャフト１８２に固定されている。
【００３８】
光量制限機構１４０は、更に光量制限部材１４２に固定されたガイドピン１４８を有している。ガイドピン１４８はベース１１０のガイド溝１１４に挿入される。ガイドピン１４８とガイド溝１１４の係合は、光量制限部材１４２の移動方向を規制する（すなわち光量制限部材１４２を案内する）。
【００３９】
第二のアクチュエーター１８０の駆動用シャフト１８２の所定角度範囲内の回転はレバー１４４を旋回させる。レバー１４４の旋回は、レバー１４４と光量制限部材１４２の連結と、ガイドピン１４８とガイド溝１１４の係合とによって、光量制限部材１４２の直線移動に変換される。結局、光量制限部材１４２は、第二のアクチュエーター１８０のシャフト１８２の回転すなわちレバー１４４の旋回に応じて、ガイド溝１１４に沿って移動する。
【００４０】
図６から分かるように、シャッター機構１２０と光量制限機構１４０は、互いの動作を干渉しないように、すなわち一方の動作が他方の動作に影響を与えないように、前後に（すなわちアクチュエーターのシャフトに沿って）ずらして配置されている。
【００４１】
次に本実施形態の光量調整機構１００の動作について図７〜図１０を参照して説明する。
【００４２】
図７の（ａ）（ｂ）〜図１０の（ａ）（ｂ）は、シャッター機構１２０と光量制限機構１４０の開閉状態の組み合わせを示している。これらの図において、上段に示す（ａ）は特にシャッター機構１２０の遮光部材１２２と開口部１１２の位置関係を示しており、このために光量制限機構１４０の図示は省かれている。同様に、下段に示す（ｂ）は特に光量制限機構１４０の光量制限部材１４２と開口部１１２との位置関係を示している。このためシャッター機構１２０の図示は省かれている。
【００４３】
通常の撮影においては、図７の（ｂ）に示されるように、光量制限機構１４０は開いた状態に設定される。すなわち、光量制限部材１４２は開口部１１２（および開口部１９２）から退避される。
【００４４】
撮影に備える時点では、シャッター機構１２０は図７の（ａ）に示されるように閉じた状態にある。すなわち、遮光部材１２２は開口部１１２（および開口部１９２）を遮っている。撮影の瞬間には、図８の（ａ）に示されるように、シャッター機構１２０は開いた状態に切り換えられる。すなわち、遮光部材１２２は開口部１１２（および開口部１９２）から退避される。その直後、シャッター機構１２０は再び図７の（ａ）のように閉じた状態に戻される。すなわち、遮光部材１２２は開口部１１２（および開口部１９２）を遮る位置に戻される。
【００４５】
このように、通常の撮影は、光量制限機構１４０とシャッター機構１２０とが、図７の（ａ）（ｂ）の状態から図８の（ａ）（ｂ）の状態に切り換えられ、続いて図７の（ａ）（ｂ）の状態に戻されることで行なわれる。
【００４６】
また、光量を絞る必要がある場合には、光量制限機構１４０は、図９の（ｂ）に示されるように、閉じた状態に切り換えられる。言い換えれば、減光した撮影では、光量制限機構１４０は閉じた状態に設定される。すなわち、光量制限部材１４２は開口部１１２（および開口部１９２）を遮る位置に移される。
【００４７】
撮影に備える時点では、図９の（ａ）に示されるように、シャッター機構１２０は閉じた状態にある。すなわち、遮光部材１２２は開口部１１２（および開口部１９２）を遮っている。撮影の瞬間には、図１０の（ａ）に示されるように、シャッター機構１２０は開いた状態に切り換えられる。すなわち、遮光部材１２２は開口部１１２（および開口部１９２）から退避される。その直後、シャッター機構１２０は再び図９の（ａ）の閉じた状態に戻される。すなわち、遮光部材１２２は開口部１１２（および開口部１９２）を遮る位置に戻される。
【００４８】
つまり、減光した撮影は、光量制限機構１４０とシャッター機構１２０とが、図９の（ａ）（ｂ）の状態から図１０の（ａ）（ｂ）の状態に切り換えられ、続いて図９の（ａ）（ｂ）の状態に戻されることで行なわれる。
【００４９】
以上の動作の説明は、光量調整機構１００を銀塩カメラに適用した場合についての説明であったが、デジタルカメラに適用した場合には、シャッター機構１２０は以下のように動作する。すなわち、撮影に備える時点では、シャッター機構１２０は開いた状態にあり、撮影の直後にシャッター機構１２０が閉じた状態となり、ＣＣＤに画像が取り込まれる。その後、シャッター機構１２０は開いた状態に戻る。
【００５０】
これまでの説明で分かるように、本実施形態の光量調整機構１００は、シャッター機構１２０が遮光部材１２２を横方向にスライド移動させるように構成されており、また同様に光量制限機構１４０が光量制限部材１４２を横方向にスライド移動させるように構成されている。このため、縦方向の寸法が小さく抑えられている。
【００５１】
また、本実施形態の光量調整機構１００は、二つのアクチュエーター１７０と１８０が隣接して（例えば互いに重なって）開口部の側方に配置されている。言い換えれば二つのアクチュエーター１７０と１８０は、共に開口部１１２に対して横方向に関して同じ側に位置している。このため横方向の寸法が小さく抑えられている。
【００５２】
次に、第一のアクチュエーター１７０または第二のアクチュエーター１８０に好適に適用可能なロータリーソレノイドについて図１１の（ａ）（ｂ）（ｃ）を参照して説明する。
【００５３】
図１１の（ａ）（ｂ）（ｃ）に示すロータリーソレノイド２００は、回転可能に支持されたシャフト２２２と、このシャフト２２２に固定されたマグネットからなるローター２２４と、このローター２２４の周囲に配された一対のステーターコア２３０と２４０と、これらステーターコア２３０と２４０を通電に応じて磁化するためのコイル２５０とを有している。
【００５４】
シャフト２２２に固定されたローター２２４は、ケース２１２の内部に収容される。ケース２１２には、ローター２２４の脱落を避けるために、蓋２１４が取り付けられる。これにより、シャフト２２２は、ケース２１２と蓋２１４によって回転可能に支持される。ステーターコア２３０と２４０はケース２１２に固定されている。
【００５５】
各ステーターコア２３０と２４０は、シャフト２２２の基端部（図中下端部）の後方まで延ばされ、更に直角に折り曲げられ、シャフト２２２の軸線ＳＡ上において互いに連結された連結部２３０ａ，２４０ａを有している。コイル２５０は、上記ステーターコア２３０と２４０の連結部２３０ａ，２４０ａの外周に巻装されている。
【００５６】
続いて、このアクチュエーターすなわちロータリーソレノイドの動作について図１２の（ａ）〜（ｄ）を参照して説明する。
【００５７】
ステーターコア２３０と２４０はローター２２４の円弧より曲率半径の大きな円弧を有している。ローター２２４の磁極中心とステーターコア２３０と２４０の円弧中心は向かい合っていて、ステーターコア２３０と２４０とローター２２４のギャップｇは、ステーターコア２３０と２４０の中央部で最も狭くなっている。
【００５８】
参照符号２６０は、動作説明の理解を容易にするために、シャフト２２２に固定されたレバーを仮想的に示している。レバー２６０はローター２２４の磁極間の延長線上を延びており、ローター２２４と共に回転する。参照符号２７２と参照符号２７４は、レバー２６０を保持してアクチュエーターの位置を保持させるためのストッパーである。このストッパー２７２と２７４はアクチュエーターのケースに一体的にあるいは独立に設けられている。
【００５９】
図１２の（ａ）は、フリーな状態におけるローター２２４とステーターコア２３０と２４０との間の安定な位置関係を示している。すなわち、ローター２２４の回転を制限する力が加わっていない状態で、ステーターコア２３０と２４０に対してローター２２４が最終的に落ち着く位置関係を示している。
【００６０】
図１２の（ａ）に示される初期位置から、ある角度（４５度程度）回転させると、ローター２２４とステーターコア２３０と２４０の間で吸引力（元に戻ろうとする力）が働き、図１２の（ｂ）に示されるように、レバー２６０をストッパー２７２に押圧させるため、その位置でシャフト２２２の回転位置が保持される。
【００６１】
ステーターコア２３０と２４０の中央部は、ローター２２４の磁極中心をステーターコア２３０と２４０の磁極中心と合わせるため、ステーターコア２３０と２４０が飽和しないように、中央部のみある幅で厚くなっており、その以外の部分は薄くなっている。
【００６２】
この状態で、コイル２５０に電流を流すと、図１２の（ｃ）に示されるように、ステーターコア２３０と２４０とがＮーＳに磁化され、ローター２２４との間に吸引、反発力が働く。このためローター２２４はストッパー２７２とは逆側へ回転することになり、図１２の（ｄ）に示されるように、ローター２２４はある角度（９０度程度）だけ回転しレバー２６０がストッパー２７４に当て付いたところで停止する（この時の移動量が図１２の（ｄ）に示される振れ角となる）。
【００６３】
この状態で、コイル２５０に流す電流を切っても、レバー２６０がストッパー２７４に当て付いた状態で位置は保持される。また、コイル２５０に上記説明で流した電流とは逆向きの電流を流すと、ローター２２４すなわちシャフト２２２は逆方向に回転する。
【００６４】
このアクチュエーター（すなわちロータリーソレノイド）は、コイル２５０に所定方向の直流電流を流すことにより、シャフト２２２を所定方向に回転させ得るとともに、コイル２５０に逆方向の電流を流すことにより、シャフト２２２を逆向きに回転させ得る。しかも通電を断ってもシャフト２２２の回転位置を保持できる。このため、アクチュエーターを駆動するための通電時間が少なくて済み、電流消費量の低減および電池寿命の向上に有益である。
【００６５】
図１３は上記アクチュエーターにおけるステーターコア２３０と２４０の変形例を示す図である。この変形例におけるステーターコア２８０と２９０は、図示の如く、各中央部位にローター２２４に近接する突出部２８２及び２９２をそれぞれ有し、各両側部位に円弧状縁部２８４，２８６及び２９４，２９６をそれぞれ有している。ステーターコア２８０と２９０は基本的部分（ローター２２４の周辺を囲む部分）に関しては同じ形状を有している。したがって参照符号の煩雑さを避けるために、以下の説明では代表的にステーターコア２８０についてのみ述べる。
【００６６】
突出部２８２と円弧状縁部２８４，２８６は共軸の円筒の一部から成り、突出部２８２とローター２２４との間のギャップｇ１は、円弧状縁部２８４，２８６とローター２２４の間のギャップｇ2よりも小さい。すなわち、突出部２８２は、ローター２２４の半径とギャップｇ1との和を半径とする円筒の一部から成り、円弧状縁部２８４，２８６はローター２２４の半径とギャップｇ２の和を半径とする円筒の一部から成っている。
【００６７】
このようなステーターコア２８０はプレス加工によって作製され得る。これは、部品のコスト低減に有益である。
【００６８】
次に、光量調整用アクチュエーターユニット１６０（第一のアクチュエーター１７０と第二のアクチュエーター１８０とを含んでいる）に好適に適用可能なロータリーソレノイドユニットについて図１４の（ａ）（ｂ）（ｃ）を参照して説明する。図１４の（ａ）（ｂ）（ｃ）において、前述した図１１の（ａ）（ｂ）（ｃ）に示すアクチュエーターと同一機能を有する部分には同一参照符号が付されている。
【００６９】
ロータリーソレノイドユニット３００は、図１４から分かるように、基本的に、図１１のアクチュエーターを二個並べた構成を有している。
【００７０】
ロータリーソレノイドユニット３００は、二本のシャフト２２２と、各シャフト２２２に固定された二つのローター２２４と、各ローター２２４の周囲に位置する二対のステーターコア２３０および２４０と、各対のステーターコア２３０および２４０を磁化するための二つのコイル２５０とを有している。
【００７１】
ロータリーソレノイドユニット３００は更に、二つのローター２２４を収容すると共に二本のシャフトを回転可能に支持するための一つのケース３１２と蓋３１４とを有している。ケース３１２は、シャフト２２２に固定されたローター２２４を収容する空間を二つ有し、蓋３１４は、シャフト２２２を通す穴を二つ有している。
【００７２】
ケース３１２には二つのローター２２４が収容され、ローター２２４に固定された二本のシャフト２２２を突出させて蓋３１４が取り付けられる。これにより、二本のシャフト２２２は、一つのケース３１２と一つの蓋３１４によって回転可能に支持される。
【００７３】
つまり二組のステーターコア２３０と２４０を有している。二組のステーターコア２３０と２４０がケース２１２に固定されている。二つのステーターコア２３０は、一方のアクチュエーターの漏れ磁束が他方のアクチュエーターに影響を与えないように、二本のシャフト２２２の間に、すなわち二つのローター２２４の間に配置されている。
【００７４】
このようなロータリーソレノイドユニット３００においては、一個のアクチュエーターに対して一つずつ必要であったケースとフタが、二個のアクチュエーターに対して一つずつで済む。これにより、部品点数が削減されるとともに、組立工数も低減される。
【００７５】
また、ケースと蓋を一体化することによって、二本のシャフトの相互間の寸法精度や傾き精度が向上する。これにより、二本のシャフトを、より間隔を詰めて配置することもでき、更なる小型化にとって有益である。
【００７６】
（実施形態における特徴点）
［１］実施形態に示された光量調整ユニットＳＵは、
光を通すための開口部１１２を有するベース１１０と、
このベース１１０の開口部１１２を適宜開放状態となす遮光機構１２０と、
前記ベース１１０の開口部１１２を通る光の量を制限するための光量制限機構１４０と、
前記遮光機構１２０を駆動するための第一のアクチュエーター１７０と、
前記光量制限機構１４０を駆動するための第二のアクチュエーター１８０とを備え、
前記第一のアクチュエーター１７０と第二のアクチュエーター１８０とは、互いに隣接して配置されていることを特徴としている。
【００７７】
上記光量調整ユニットＳＵにおいては、第一のアクチュエーター１７０と第二のアクチュエーター１８０とが互いに隣接して配置されていることから、スペースファクターがよく、アクチュエーター１７０，１８０が占める占有空間を最小限に留め得る。
【００７８】
［２］実施形態に示された光量調整ユニットＳＵは、前記［１］に記載の光量調整ユニットであって、
前記第一のアクチュエーター１７０及び前記第二のアクチュエーター１８０は、一体化されて同一ケース１６１内に収容されていることを特徴としている。
【００７９】
上記光量調整ユニットＳＵにおいては、第一のアクチュエーター１７０及び第二のアクチュエーター１８０が更にコンパクトに収容され得る。
【００８０】
［３］実施形態に示された光量調整ユニットＳＵは、前記［１］又は［２］に記載の光量調整ユニットであって、
前記第一，第二の各アクチュエーター１７０，１８０は、
回転可能に支持されたシャフト２２２と、
このシャフト２２２の中央部位に固定されたマグネットから成るローター２２４と、
このローター２２４の周囲を囲むように１８０°異なる位置に対向配置された一対のステーターコア２３０，２４０と、
前記ローター２２４を回転させるべく、上記一対のステーターコア２３０，２４０を通電に応じて磁化するコイル２５０とを備え、
前記一対のステーターコア２３０，２４０は、前記シャフト２２２に沿って当該シャフト２２２の基端部後方まで延長され、且つ上記シャフト２２２の軸線ＳＡ上において互いに連結されている連結部２３０ａ，２４０ａを有し、
前記コイル２５０は、前記ステーターコアの連結部２３０ａ，２４０ａの外周に巻装されていることを特徴としている。
【００８１】
上記光量調整ユニットＳＵにおいては、第一，第二の各アクチュエーター１７０，１８０がコンパクトに形成され得る上、高感度に動作するため、応答性に優れたものとなる。
【００８２】
［４］実施形態に示された光量調整ユニットＳＵは、
光を通すための開口部１１２を有するベース１１０と、
このベース１１０の開口部１１２を通る光の量を調整するための複数種の光量調整部材１２２，１４２と、
これら複数種の光量調整部材１２２，１４２をそれぞれ駆動するための複数の光量調整用アクチュエーター１７０，１８０とを備え、
上記複数の光量調整用アクチュエーター１７０，１８０は、それぞれ回転可能に支持された駆動用シャフト１７２，１８２を有し、各駆動用シャフト１７２，１８２が平行で且つ同一方向を向くように隣接して配置されていることを特徴としている。
【００８３】
上記光量調整ユニットＳＵにおいては、各駆動用シャフト１７２，１８２が平行で且つ同一方向を向くように隣接して配置されているため、スペースファクターがよく、各駆動用シャフト１７２，１８２が占める占有空間を最小限に留め得る。
【００８４】
［５］実施形態に示された光量調整ユニットＳＵは、前記［４］に記載の光量調整ユニットであって、
前記複数の光量調整用アクチュエーター１７０，１８０は、一体化されて同一ケース１６１内に収容されていることを特徴としている。
【００８５】
上記光量調整ユニットＳＵにおいては、光量調整用アクチュエーター１７０，１８０がコンパクトに収容され得る。
【００８６】
［６］実施形態に示された光学ユニット１４は、前記［１］ないし［５］のいずれか一つに記載の光量調整ユニットＳＵを搭載され、且つガイド軸２４，２５に沿って光軸方向へ移動可能に設けられたレンズ群２２と、これらのレンズ群２２が光軸方向の所定位置へ移動させるように駆動するレンズ駆動用アクチュエーターとを含むレンズユニットＬＵを備えてなることを特徴としている。
【００８７】
［７］実施形態に示された光学ユニット１４は、前記［６］に記載の光学ユニットであって、
前記レンズユニットＬＵは、光軸方向へ移動可能に設けられた複数（二つ）のレンズ群２２Ｖ，２２Ｆを有し、これら複数（二つ）のレンズ群２２Ｖ，２２Ｆが当該レンズ群に対応して設けられた複数（二つ）のレンズ駆動用アクチュエーター５０，６０によってそれぞれ駆動制御されることを特徴としている。
【００８８】
［８］実施形態に示された光学ユニット１４は、前記［７］に記載の光学ユニットであって、
前記光量調整ユニットＳＵにおける複数の光量調整用アクチュエーター１７０，１８０からなる光量調整用アクチュエーターユニット１６０と、
前記レンズユニットＬＵにおける複数のレンズ駆動用アクチュエーター５０，６０からなるレンズ駆動用アクチュエーターユニット４０とを備え、
上記両アクチュエーターユニット１６０，４０は、前記レンズ群２２の光軸方向と略平行な一つの直線領域に沿って配置されていることを特徴としている。
【００８９】
前記光学ユニット１４においては、両アクチュエーターユニット１６０，４０が撮影光学系に対して同じ側に一括して配置されるため、無駄な占有空間が発生しない。
【００９０】
［９］実施形態に示された光学ユニット１４は、前記［８］に記載の光学ユニットであって、
前記各レンズ駆動用アクチュエーター５０，６０は、回転可能に支持された各一本のシャフト５１，６１と、この一本のシャフト５１，６１の片側に設けられた永久磁石から成るローター５２，６２と、このローター５２，６２の周囲に配された励磁コイルを含むステーター５３，６３とを備えてなり、
前記レンズ駆動用アクチュエーターユニット４０は、各レンズ駆動用アクチュエーター５０，６０のシャフト５１，６１が平行に配設され、且つ、上記ローターおよびステーターを備えている側が、互いに反対側に位置するように配置されていることを特徴としている。
【００９１】
前記光学ユニット１４においては、比較的径長大な形態をなすレンズ駆動用アクチュエーター５０，６０の各シャフトが共通な領域に一括配置されると共に、外径が比較的大きな形態をなすローター及びテーターが互い違いに組み合わされた態様で配置されるため、占有する設置空間が小さくてよい。
【００９２】
［１０］実施形態に示された光学ユニット１４は、前記［８］又は［９］に記載の光学ユニットであって、
前記光量調整用アクチュエーターユニット１６０における複数の光量調整用アクチュエーター１７０，１８０の各シャフト１７２，１８２は、第一の平面内に配列され、
前記レンズ駆動用アクチュエーターユニット４０における複数のレンズ駆動用アクチュエーター５０，６０の各シャフト５１，６１は、前記第一の平面と平行な第二の平面内に配列されていることを特徴としている。
【００９３】
前記光学ユニット１４においては、両アクチュエーターユニット１６０，４０におけるシャフト同士が平行に配置されるので、無駄な空間が生じにくく、コンパクト化し得る。
【００９４】
［１１］実施形態に示された光学ユニット１４は、前記［６］ないし［１０］のいずれか一つに記載の光学ユニットであって、
第一の光軸ＯＡに沿って被写体から入射する光束を、上記第一の光軸ＯＡと交差する第二の光軸ＯＢに沿って折り曲げるプリズム２１を更に備えたことを特徴としている。
【００９５】
前記光学ユニット１４においては、光軸が途中で折り曲げられるため、当該光学ユニット自体ひいてはカメラ本体１０の奥行き寸法すなわち厚み寸法を小さくすることができる。
【００９６】
［１２］実施形態に示された光学ユニット１４は、前記［１１］に記載の光学ユニットであって、
前記光量調整用アクチュエーターユニット１６０及び前記レンズ駆動用アクチュエーターユニット４０における前記第一の光軸ＯＡに沿った方向の寸法ＬＡ２，ＬＡ３が、前記プリズム２１の第一の光軸ＯＡの方向における寸法ＬＡ１と略同一寸法に設定されていることを特徴としている。
【００９７】
前記光学ユニット１４においては、プリズム２１の厚み寸法と、両アクチュエーターユニット１６０，４０の部分の厚み寸法とが略同一になる。このため、光学ユニット１４全体の厚みが均一化されることになる。
【００９８】
［１３］実施形態に示された光学ユニット１４は、前記［１１］に記載の光学ユニットであって、前記光量調整用アクチュエーターユニット１６０及び前記レンズ駆動用アクチュエーターユニット４０における前記第一の光軸ＯＡに沿った方向の寸法ＬＡ２，ＬＡ３は、互いに近似した寸法に設定されていることを特徴としている。
【００９９】
前記光学ユニット１４においては、少なくとも両アクチュエーターユニット１６０，４０同士の厚み寸法を一定化できる。
【０１００】
［１４］実施形態に示された電子カメラは、前記［６］ないし［１０］のいずれか一つに記載の光学ユニットを搭載したことを特徴としている。
【０１０１】
【発明の効果】
本発明によれば、小型化することが容易な、光量調整ユニット、光学ユニット、及び電子カメラを提供できる。
【図面の簡単な説明】
【図１】本発明の第一実施形態に係る電子カメラの概略的構成を示す図で、（ａ）は略式上面断面図、（ｂ）は正面図、（ｃ）は略式側面断面図。
【図２】本発明の第二実施形態に係る電子カメラの概略的構成を示す図で、（ａ）は略式上面断面図、（ｂ）は正面図、（ｃ）は略式面断面図。
【図３】本発明の第一実施形態および第二実施形態に係る電子カメラにそれぞれ適用された光学ユニットの具体的な構成を示す図で、（ａ）は正面図、（ｂ）は蓋の部分を取外した状態の正面図。
【図４】前記光学ユニットの更に具体的な構成を示す図で、（ａ）は図３の（ａ）のａ−ａ線矢視断面図、（ｂ）は図３の（ａ）のｂ−ｂ線矢視断面図。
【図５】前記光学ユニットの光量調整ユニットにおける光量調整機構の構成を示す分解斜視図。
【図６】前記光学ユニットの光量調整ユニットにおける光量調整機構の組立上面図。
【図７】前記光量調整機構の動作説明図で、（ａ）及び（ｂ）は閉じた状態のシャッター機構と開いた状態の光量制限機構とを対応して示す図。
【図８】前記光量調整機構の動作説明図で、（ａ）及び（ｂ）は開いた状態のシャッター機構と開いた状態の光量制限機構とを対応して示す図。
【図９】前記光量調整機構の動作説明図で、（ａ）及び（ｂ）は閉じた状態のシャッター機構と閉じた状態の光量制限機構とを対応して示す図。
【図１０】前記光量調整機構の動作説明図で、（ａ）及び（ｂ）は開いた状態のシャッター機構と閉じた状態の光量制限機構とを対応して示す図。
【図１１】前記光量調整機構のアクチュエーターとして好適なロータリーソレノイドの構造を示す図で、（ａ）は上面図、（ｂ）は正面図、（ｃ）は左半面を切断して示す側面図。
【図１２】（ａ）〜（ｄ）は図１１に示したロータリーソレノイドの動作を説明するための図。
【図１３】図１１に示したロータリーソレノイドにおけるステーターコアの変形例を示す上面図。
【図１４】前記光量調整機構のアクチュエーターとして好適なロータリーソレノイドユニットの構造を示す図で、（ａ）は上面図、（ｂ）は中央部位を破断して示す正面図、（ｃ）は（ｂ）のｃ−ｃ線矢視断面図。
【符号の説明】
１０  カメラ本体
１４  光学ユニット
ＳＵ  光量調整ユニット
ＬＵ  レンズユニット
４０  レンズ駆動用アクチュエーターユニット
５０、６０  レンズ駆動用アクチュエーター
１００  光量調整機構
１１０  ベース
１１２  開口部
１２０  シャッター機構（遮光機構）
１２２  遮光部材
１４０  光量制限機構
１４２  光量制限部材
１６０  光量調整用アクチュエーターユニット
１７０  第一のアクチュエーター
１７２  駆動用シャフト
１８０  第二のアクチュエーター
１８２  駆動用シャフト
１９０  カバー
【図１】
0004054618.tif 000002
【図２】
0004054618.tif 000003
【図３】
0004054618.tif 000004
【図４】
0004054618.tif 000005
【図５】
0004054618.tif 000006
【図６】
0004054618.tif 000007
【図７】
0004054618.tif 000008
【図８】
0004054618.tif 000009
【図９】
0004054618.tif 000010
【図１０】
0004054618.tif 000011
【図１１】
0004054618.tif 000012
【図１２】
0004054618.tif 000013
【図１３】
0004054618.tif 000014
【図１４】
0004054618.tif 000015